(57)【特許請求の範囲】
【請求項１】
ボトムと、
該ボトムに対して開閉可能に取り付けられたトップと
を備えたクラムシェル型の情報処理装置において、
前記トップの側面全周に前記トップの側面から外方に向けて突出するバンパーを備え、
前記バンパーは、前記ボトムに対して前記トップを閉じた場合に、少なくとも前記ボトムの前面および両側面において被さることで該前面および該両側面の上縁角部を覆う下縁部と、
前記ボトムに対して前記トップを閉じた場合に、前記ボトムと前記トップとの間に挟まれる凸部とを有することを特徴とする情報処理装置。
【請求項２】
前記ボトムに対して前記トップを開閉可能に取り付けるヒンジ軸をボトムに設けたことを特徴とする請求項１に記載の情報処理装置。
【請求項３】
前記トップの前面には表示器が設けられ、
前記表示器の前面縁部に、前記ボトムに対して前記トップを閉じた場合に、前記ボトムと前記トップとの間に挟まって前記凸部と連続して配置されるスペーサ部材を設けたことを特徴とする請求項１または２に記載の情報処理装置。
【発明の詳細な説明】
【技術分野】
【０００１】
本発明は、ボトムとボトムに対して開閉可能に取り付けられたトップとを備えたクラムシェル型の情報処理装置に関する。
【背景技術】
【０００２】
不注意などにより、クラムシェル型の情報処理装置を床に落とした場合には、ボトム側に搭載した電子部品が壊れたり、トップ側に搭載した液晶表示器（ＬＣＤ）が壊れたりする。このように、クラムシェル型の情報処理装置を床に落とした場合であっても、ボトム側に搭載した電子部品が壊れたり、トップ側に搭載した液晶表示器が壊れたりすることがないように、ボトム側の角隅部、トップ側の両側縁部にバンパーを取り付けたクラムシェル型の情報処理装置が提案されている（たとえば、特許文献１参照）。
【先行技術文献】
【特許文献】
【０００３】
【特許文献１】特開２００２−１４９２７２号公報
【発明の概要】
【発明が解決しようとする課題】
【０００４】
しかしながら、ボトム側の角隅部、トップ側の両側縁部にバンパーを取り付けたクラムシェル型の情報処理装置であっても、トップ側前面や側面を下にして床に当たった場合には、トップをボトムに対して開閉可能に支持するヒンジに衝撃が集中する。これにより、ヒンジ自体、ヒンジとの境目（トップ側、ボトム側）が壊れる可能性がある。
【０００５】
本発明は、上記に鑑みてなされたものであって、トップ側前面や側面を下にして床に当たった場合でも、トップ側からボトム側に衝撃が分散し、ヒンジ自体、ヒンジとの境目も壊れにくくなる情報処理装置を提供することを目的とする。
【課題を解決するための手段】
【０００６】
上述した課題を解決し、目的を達成するために、本発明は、ボトムと、該ボトムに対して開閉可能に取り付けられたトップとを備えたクラムシェル型の情報処理装置において、前記トップの側面全周に前記トップの側面から外方に向けて突出するバンパーを備え、前記バンパーは、前記ボトムに対して前記トップを閉じた場合に、少なくとも前記ボトムの前面および両側面において被さることで該前面および該両側面の上縁角部を覆う下縁部と、前記ボトムに対して前記トップを閉じた場合に、前記ボトムと前記トップとの間に挟まれる凸部とを有することを特徴とする。
【０００７】
また、本発明は、上記発明において、前記ボトムに対して前記トップを開閉可能に取り付けるヒンジ軸をボトムに設けたことを特徴とする。
【０００８】
また、本発明は、上記発明において、前記トップの前面には表示器が設けられ、前記表示器の前面縁部に、前記ボトムに対して前記トップを閉じた場合に、前記ボトムと前記トップとの間に挟まって前記凸部と連続して配置されるスペーサ部材を設けたことを特徴とする。
【発明の効果】
【０００９】
本発明にかかる情報処理装置は、トップの側面全周にトップの側面から外方に向けて突出するとともに、ボトムに対してトップを閉じた場合に、少なくともボトムの前面および両側面において被さるバンパーを設けたので、トップ側前面や側面を下にして床に当たった場合でも、トップ側からボトム側に衝撃が分散し、ヒンジ自体、ヒンジとの境目も壊れにくくなる。
【図面の簡単な説明】
【００１０】
【図１】図１は、本発明の実施の形態であるノートパソコンを示す斜視図である。
【図２】図２は、図１に示したノートパソコンの正面図である。
【図３】図３は、図１に示したノートパソコンの左側面図である。
【図４】図４は、図１に示したノートパソコンの右側面図である。
【図５】図５は、図１に示したノートパソコンの背面図である。
【図６】図６は、図３に示したラバーバンパーまわりの構成を示す概念斜視図である。
【図７】図７は、図３に示したラバーバンパーまわりの構成を示す断面図である。
【発明を実施するための形態】
【００１１】
以下に、本発明にかかる情報処理装置の実施の形態を図面に基づいて詳細に説明する。なお、この実施の形態によりこの発明が限定されるものではない。ここでは、ボトムと、ボトムに対して開閉可能に取り付けたトップとを有するクラムシェル型のノートパソコンを例に説明する。
【００１２】
図１は、本発明の実施の形態であるノートパソコンを示す斜視図である。図２は、図１に示したノートパソコンの正面図、図３は、図１に示したノートパソコンの左側面図、図４は、図１に示したノートパソコンの右側面図、図５は、図１に示したノートパソコンの背面図である。また、図６は、図３に示したラバーバンパーまわりの構成を示す概念斜視図であり、図７は、図３に示したラバーバンパーまわりの構成を示す断面図である。
【００１３】
図１に示すように、ノートパソコン１は、ボトム（本体）２と、ボトム２に対して開閉可能に取り付けたトップ（蓋体）３とを備えたクラムシェル型のものであり、トップ３を閉じた場合にボトム２と重なるように、ボトム２とトップ３とは、略同一の平面形状を有している。また、ボトム２には、ボトム２に対してトップ３を開閉可能に取り付けるヒンジ軸Ｏが設けてあり、トップ３の内側面(ボトム２に対してトップ３を閉じた場合に、ボトム２に対向する面)から内側（ボトム２側）に突出したヒンジ部３ａを回転可能に支持している（図５参照）。
【００１４】
図７に示すように、トップ３は、フレーム３１と、フレーム３１に取り付けられた液晶表示器（ＬＣＤ）３２と、フレーム３１に取り付けられたデコレーションカバー３３とを備えて構成してある。フレーム３１は、液晶表示器３２を取り付けるための枠体であり、トップ３の内側となる部分（トップ３を閉じた場合にボトム２と対向する部分）に液晶表示器３２が取り付けられ、トップ３の外側となる部分にデコレーションカバー３３が取り付けられる。
【００１５】
また、図１〜図７に示すように、トップ３を構成するフレーム３１の側面全周には、ラバーバンパー（バンパー）４が設けてある。ラバーバンパー４は、トップ３およびボトム２を衝撃から保護するためのもので、ボトム２に対してトップ３を閉じた状態でノートパソコン１を床に落とした場合に、最初にラバーバンパー４が当たるように、トップ３の側面から外方に向けて突出するように設けてある。
【００１６】
また、図６および図７に示すように、ラバーバンパー４の下縁部４ａは、ボトム２に対してトップ３を閉じた場合に、ボトム２の前面および両側面において被さるように、トップ３の内側面からボトム２側に突出して形成される。これにより、ボトム２に対してトップ３を閉じた状態でラバーバンパー４に衝撃が加わると、その衝撃は、トップ３とボトム２に分散して伝わることになる。したがって、トップ３の外周にのみラバーバンパーを設け、トップ３だけに衝撃が伝わる場合よりも衝撃が緩和することになり、ヒンジ軸Ｏに伝わる衝撃も緩和される。
【００１７】
なお、ボトム２に対してトップ３を閉じた場合に、ボトム２の前面および両側面においてラバーバンパー４の下縁部４ａが被さる量は、１〜２ｍｍ程度であり、本実施の形態では、１．５ｍｍが重なるように、形成してある。
【００１８】
また、図７に示すように、ラバーバンパー４の内側面には、ボトム２に対してトップ３を閉じた場合にボトム２とトップ３との間に挟まれる凸部４ｂを有している。
【００１９】
このように構成されるラバーバンパー４は、衝撃を吸収するゴムで形成され、ＡＢＳ樹脂で形成されるフレーム３１と二色成形することにより、フレーム３１と一体に形成される。
【００２０】
また、図７に示すように、液晶表示器３２の前面縁部には、枠３４が設けられる。枠３４は、液晶表示器３２の前面縁部を押さえるためのもので、これにより、液晶表示器３２のエッジ部分も覆い隠される。また、枠３４の前面には、スペーサラバー３５が設けてある。スペーサラバー３５は、ボトムに対してトップを閉じた場合に、ボトムとトップ（枠）との間に挟まり、上述したラバーバンパー４に形成した凸部４ｂとともに、ボトム２に対してトップ３を閉める時の衝撃を緩和する。また、スペーサラバー３５は、ラバーバンパー４に形成した凸部４ｂと一体に見えるように、ラバーバンパー４と同一の材質、同一のカラーで凸部４ｂとの間に隙間が生じないように取り付けられる。
【００２１】
このように形成されるスペーサラバー３５は、ラバーバンパー４と同様、衝撃を吸収するゴムで形成され、ＡＢＳ樹脂で形成される枠３４と二色成形することにより、枠３４と一体に形成される。
【００２２】
上述した本発明の実施の形態であるノートパソコン１は、トップ３（フレーム３１）の側面外周にトップ３の側面から外方に向けて突出するとともに、ボトム２に対してトップ３を閉じた場合に、下縁部４ａがボトム２の前面および両側面において被さるラバーバンパー４を設けたので、トップ３側前面や側面を下に床に当たった場合でも、トップ３側からボトム２側に衝撃が分散し、ヒンジ自体、ヒンジとの境目も壊れにくくなる。
【００２３】
また、ボトム２に対してトップ３を閉じた場合に、ラバーバンパー４の下縁部４ａがボトム２の前面および両側面において被さるので、ノートパソコン１を持ち運ぶ場合にも、ボトム２とトップ３とが当たることにより生じる音（カタカタ音）を抑制できる。さらに、ホコリの侵入抑制の効果も期待できる。
【００２４】
また、ボトム２に対してトップ３を開閉可能に取り付けるヒンジ軸Ｏをボトム２に設けたので、本実施の形態のように、トップ３の側面全周にラバーバンパー４を設けても、トップ３が厚くならない。
【００２５】
さらに、ラバーバンパー４が、ボトム２に対してトップ３を閉じた場合に、ボトム２とトップ３との間に挟まれる凸部４ｂを有するので、ボトム２に対してトップ３を閉じた場合に衝撃を抑制する。これにより、ボトム２に対してトップ３を閉じる場合に生じる音（開閉音）も抑制される。
【００２６】
なお、上述した実施の形態であるノートパソコン１では、ラバーバンパー４の下縁部４ａがボトム２の前面および両側面において被さるとし、ラバーバンパー４の下縁部４ａがボトム２の背面において被さるか否かに言及していないが、ラバーバンパー４の下縁部４ａがボトム２の背面において被さるように構成してもよいし、被さらないように構成してもよい。これは、ヒンジ軸Ｏ側を下に床に当たってもヒンジ軸Ｏに加わるモーメントが小さいと考えられること、ボトム２の背面側にヒンジ軸Ｏが設けられ、ヒンジ軸Ｏ側（ボトムの背面側）において、ボトム２に対してトップ３が開閉されないこと、ヒンジ軸Ｏ側を上に持ち運ぶので、ヒンジ軸Ｏ側を下に床に当たる可能性小さいこと、等を考慮したものである。
【００２７】
また、ヒンジ軸Ｏをボトム２に設けることとしたが、ヒンジ軸Ｏをトップ３に設けることとしてもよい。
【符号の説明】
【００２８】
１    ノートパソコン
２    ボトム
３    トップ
３ａ    ヒンジ部
Ｏ    ヒンジ軸
３１    フレーム
３２    液晶表示器
３３    デコレーションカバー
３４    枠
３５    スペーサラバー
４    ラバーバンパー（バンパー）
４ａ    下縁部
４ｂ    凸部
【図１】
0005529096.tif 000002
【図２】
0005529096.tif 000003
【図３】
0005529096.tif 000004
【図４】
0005529096.tif 000005
【図５】
0005529096.tif 000006
【図６】
0005529096.tif 000007
【図７】
0005529096.tif 000008